(57)【要約】【課題】回転式のズームレバーを回転操作してある所定の角度以上に回転させた際に、通常速度領域から高速度領域に入った瞬間の感触を分かりやすくし、撮影者が所望の撮影画角で容易に焦点距離変更動作を止め易くすることを目的とする。【解決手段】回転式ズームレバーを回転操作してある所定の角度以上に回転させた際に、通常の動作速度より速度を上げてより早くズーム操作可能としているカメラで、該ズームレバーと一体回転するよう構成されたズームレバー保持部材に一体に形成された外歯車と、該外歯車とは別体で、該外歯車と噛み合うフリクションを備えた歯車とを備え、かつ、前記ズームレバーと一体に形成された歯車は、ズームレバーが所定角度内の通常速度のズーム領域内では前記フリクションを備えた歯車とは噛み合わず、ズームレバーが所定角度範囲外の領域では、前記フリクションを備えた歯車と噛み合うよう構成された所謂セクタ歯車であることを特徴とする。【選択図】図１
2016206356.tif 000002
【特許請求の範囲】
【請求項１】
回転式ズームレバーを回転操作してある所定の角度以上に回転させた際に、通常の動作速度より速度を上げてより早くズーム操作可能としているカメラで、該ズームレバーと一体回転するよう構成されたズームレバー保持部材に一体に形成された外歯車と、該外歯車とは別体で、該外歯車と噛み合うフリクションを備えた歯車とを備え、かつ、前記ズームレバーと一体に形成された歯車は、ズームレバーが所定角度内の通常速度のズーム領域内では前記フリクションを備えた歯車とは噛み合わず、ズームレバーが所定角度範囲外の領域では、前記フリクションを備えた歯車と噛み合うよう構成された所謂セクタ歯車であることを特徴とする変速ズームレバー。
【請求項２】
歯車にフリクションを与える部材は、前記ズームレバーの復帰動作時に復帰力を付加するためのバネまたはズームレバー自身が当接することで復帰時に生じる音を消す弾性部材を兼ねることを特徴とする請求項１に記載の変速ズームレバー。
【請求項３】
前記ズームレバーの復帰力を付加するトーションバネの待機用の軸と、フリクションを付与する歯車の取り付けられた軸とが同一であることを特徴とする請求項１又は請求項２に記載の変速ズームレバー。
【発明の詳細な説明】
【技術分野】
【０００１】
高倍率のレンズを搭載したデジタルカメラにおいて、回転式のズームレバーを回転操作してある所定の角度以上に回転させた際に、速度を上げてより早くズーム操作を可能としているものがある。本発明は、該変速領域をユーザーに分かりやすくするものである。
【背景技術】
【０００２】
高倍率のレンズを搭載したデジタルカメラでは、ズーム領域のレンズ移動を早く行わせたい場面が多々ある。このため、回転式のズームレバーを回転操作してある所定の角度以上に回転させた際に、通常の動作速度より速度を上げてより早くズーム操作可能としているものがある。
【０００３】
特許文献１には、基板上に検知部を配置し、回転角度によりズーム速度を変速する技術が開示されている。
【先行技術文献】
【特許文献】
【０００４】
【特許文献１】特開2013ー042205号公報
【発明の概要】
【発明が解決しようとする課題】
【０００５】
然しながら、上記の特許文献１では、ズーム速度の変局点が操作者には分からないため、ズームレバーを大きく回転させてしまい、所望の撮影画角で止めることが困難になるという課題があった。
【０００６】
本発明は、回転式のズームレバーを回転操作してある所定の角度以上に回転させた際に、通常速度領域から高速度領域に入った瞬間の感触を分かりやすくし、撮影者が所望の撮影画角で容易に焦点距離変更動作を止め易くできる変速ズームレバーを提供することを目的とする。
【課題を解決するための手段】
【０００７】
上記の目的を達成するために、本発明は、回転式ズームレバーを回転操作してある所定の角度以上に回転させた際に、通常の動作速度より速度を上げてより早くズーム操作可能としているカメラで、該ズームレバーと一体に回転するズームホルダに一体に形成された外歯車と、該外歯車と噛み合うフリクションを備えた歯車とを備え、かつ、前記ズームレバー保持部材と一体に形成された歯車は、ズームレバーが所定角度内の通常速度のズーム領域内では前記フリクションを備えた歯車とは噛み合わず、ズームレバーが所定角度範囲外の領域では、前記フリクションを備えた歯車と噛み合うよう構成された所謂セクタ歯車であることを特徴とする。
【発明の効果】
【０００８】
本発明によれば、回転式のズームレバーを回転操作してある所定の角度以上に回転させた際に、通常速度領域から高速度領域に入った瞬間の感触を分かりやすくし、撮影者が所望の撮影画角で容易に焦点距離変更動作を止め易くすることが可能となる。
【図面の簡単な説明】
【０００９】
【図１】本発明を実施したカメラのズームレバー周辺の主要構成部品が組み付けられた上面カバーユニットの裏面図
【図２】本発明を実施したカメラのズームレバーとフリクションを備えた歯車の斜視図
【図３】本発明を実施したカメラの外観斜視図
【発明を実施するための形態】
【００１０】
以下、本発明を実施するための形態を図面に基づいて説明する。
【実施例１】
【００１１】
図１および図２は、本発明を実施したカメラのズーム機構を表す図である。図１は本発明を実施したカメラのズームレバー周辺の主要構成部品が組み付けられた上面カバーユニットの裏面図である。図２は本発明を実施したカメラのズームレバーとフリクションを備えた歯車の斜視図である。図３は本発明を実施したカメラの外観斜視図である。図１および図２および図３において、同じ番号を付記したものは同じ部材を表している。
【００１２】
図１および図２および図３において、１はカメラ10に回転可能に保持されたズームレバー６の内部で該ズームレバー６に固着され一体に回転するズームレバー保持部材である。ズームレバー保持部材１には公知のセクタ歯車１ａが一体に形成されている。２は公知の外歯車である。
【００１３】
３は公知のトーションスプリングである。図では足が複数本（３ａ、３ｂ、３ｃ、３ｄ）記載されているが、各々が組み付け初期位置およびズーム動作中を表している。３ａ、および３ｃは、組み付け初期状態および中立位置を表している。前記ズームレバー６を回転せると、前記ズームレバー６の回転方向に応じて３ａから３ｂの位置、または、３ｃから３ｄの位置に足が移動する。４は公知のゴム部材であるフリクションゴムであり、円筒形状をしている。５は公知のブラシであり前記ズームレバー保持部材１に固着され、ズームレバー６の回転に応じて一緒に回転する。
【００１４】
前記ブラシ５の対向する位置には、不図示のフレキシブル配線基板のパターン開口部が形成されており、該フレキシブル配線基板は、不図示の中央処理装置であるＣＰＵと電気的に接続している。ブラシ５の回転角度に応じて、ズーム速度が通常か高速の切り替えが可能となっている。10は本発明を実施したカメラである。
【００１５】
撮影者がカメラの不図示の液晶等の画像確認手段で画像を確認しながら、前記ズームレバー6を左右に回転させると、その回転操作に応じてズームレバー保持部材１およびブラシ５も一緒に回転を始める。
【００１６】
ブラシ５の当接する不図示のフレキシブル配線基板上のパターンのうち、所定角度を通過したときにのみ接触するように配置しているパターンにブラシ５が接触すると、不図示の中央処理装置であるCPUからの指令により、不図示の鏡筒ユニットの駆動用モータの電圧を上げる。このため、通常ズーム速度より早い速度で鏡筒が動き始める。これと同時にズームレバー保持部材と一体に形成されたセクタ外歯歯車も回転するが、普通速度領域では歯車２とは噛み合わないため、撮影者は別段意識せずにズームレバー６を操作している。更に回転角度を増やしていくと、前記ズームレバー保持部材と一体に形成されたセクタ外歯歯車が歯車２と噛み合い始める。歯車２には、回転軸上に円筒状のフリクションゴムが不図示の押さえ板との間で、歯車２と圧接している。
【００１７】
このため、歯車２の回転はフリクションゴムの摩擦力により回転を規制されている。撮影者はこの感触の違いにより、高速度ズーム領域に入っていることを認識することができる。
【００１８】
撮影者がズーム動作中にズームレバーから手を離すと、トーションスプリング３の中央付勢力によりズームレバー６は中立位置に止まり、ズーム動作も終了する。このときトーションスプリング３は、３ｂから３ａの位置、または、３ｄの位置から３ｃの位置に戻りつつ、前記フリクションゴム４に当接するため、はじき音が吸収され、動画中の音録音においても異音を録音せずに済むことができる。
【００１９】
以上説明したように、本発明によれば、回転式のズームレバーを回転操作してある所定の角度以上に回転させた際に、通常速度領域から高速度領域に入った瞬間の感触を分かりやすくし、撮影者が所望の撮影画角で容易に焦点距離変更動作を止め易くすることが可能となる。
【符号の説明】
【００２０】
１  ズームレバー保持部材、２  歯車、３  トーションスプリング（中央付勢手段）、
４  フリクションゴム（静音ゴム）、５  ブラシ、６  ズームレバー、１０  カメラ
【図１】
2016206356.tif 000003
【図２】
2016206356.tif 000004
【図３】
2016206356.tif 000005